(57)【特許請求の範囲】
【請求項１】
非磁性材で形成されて所定の流体が流通せしめられる流体通路と、
この流体通路を挟んだ両側で対向するように配設されて、該流体通路に向かう面に磁極が形成された少なくとも一対の永久磁石と、
それら永久磁石を変位可能に保持せしめる磁石保持手段とを、
有することを特徴とする磁気処理装置。
【請求項２】
前記永久磁石の磁極面が向く前記流体通路に、該流体通路を流通せしめられる流体に対して乱流を積極的に生ぜしめる流れ調節手段を備えた請求項１に記載の磁気処理装置。
【請求項３】
前記流れ調節手段の少なくとも一つとして、前記流体通路に拡幅部及び／又は狭窄部を設けた請求項２に記載の磁気処理装置。
【請求項４】
前記流れ調節手段の少なくとも一つとして、前記流体通路の内面に凹部及び／又は突部を設けた請求項２又は３に記載の磁気処理装置。
【請求項５】
前記永久磁石を、前記流体通路を挟んで対向するように少なくとも一対配設すると共に、かかる対を為して互いに対向位置せしめられた永久磁石の対向面を、互いに異極とした請求項１乃至４の何れかに記載の磁気処理装置。
【請求項６】
前記流体通路が扁平形状とされており、且つ該流体通路の内面において対向面間距離が最も小さい扁平方向で対向するように前記一対の永久磁石を配設した請求項１乃至５の何れかに記載の磁気処理装置。
【請求項７】
表裏方向に貫通した貫通窓が形成されると共に、該貫通窓が外周面において開口する吸入口と排出口が形成された通路形成プレートと、
該通路形成プレートの表裏両面に重ね合わせられて固定されることにより前記貫通窓を覆蓋せしめて、前記吸入口と前記排出口を通じて外部に連通された前記流体通路を形成する一方、該通路形成プレートに対して重ね合わせられる内側面と反対の外側面に開口して該外側面から該内側面に向かって所定深さで延びる磁石収容穴が形成された一対の磁石保持プレートと、
該一対の磁石保持プレートのそれぞれにおける前記磁石収容穴に収容配置されることにより、前記流体通路を挟んだ両側で対向せしめられた一対の永久磁石と、
前記一対の磁石保持プレートの各外側面に重ね合わせられて、前記各磁石収容穴の外側開口を覆蓋せしめる一対の外蓋プレートとを、
含んで構成された請求項１乃至６の何れかに記載の磁気処理装置。
【請求項８】
非磁性材で形成されて所定の流体が流通せしめられる流体通路と、
この流体通路を挟んだ両側で対向するように配設されて、該流体通路に向かう面に磁極が形成された少なくとも一対の永久磁石と、
前記永久磁石の磁極面が向く前記流体通路に、該流体通路を流通せしめられる流体に対して乱流を積極的に生ぜしめる流れ調節手段とを、
有する磁気処理装置であって、
表裏方向に貫通した貫通窓が形成されると共に、該貫通窓が外周面において開口する吸入口と排出口が形成された通路形成プレートと、
該通路形成プレートの表裏両面に重ね合わせられて固定されることにより前記貫通窓を覆蓋せしめて、前記吸入口と前記排出口を通じて外部に連通された前記流体通路を形成する一方、該通路形成プレートに対して重ね合わせられる内側面と反対の外側面に開口して該外側面から該内側面に向かって所定深さで延びる磁石収容穴が形成された一対の磁石保持プレートと、
該一対の磁石保持プレートのそれぞれにおける前記磁石収容穴に収容配置されることにより、前記流体通路を挟んだ両側で対向せしめられた一対の永久磁石と、
前記一対の磁石保持プレートの各外側面に重ね合わせられて、前記各磁石収容穴の外側開口を覆蓋せしめる一対の外蓋プレートとを、
含んで構成されていることを特徴とする磁気処理装置。
【請求項９】
請求項１乃至８の何れかに記載の磁気処理装置を用いて、空気を前記流体通路に流通させるようにしたことを特徴とする空気処理装置。
【請求項１０】
請求項９に記載の空気処理装置を用いて、該空気処理装置により磁気処理した空気を、飲用水や汚水等の液体中に吐出させるようにしたことを特徴とする液体処理装置。
【請求項１１】
請求項１乃至８の何れかに記載の磁気処理装置を用いて、飲用水や汚水等の液体を前記流体通路に流通させるようにしたことを特徴とする液体処理装置。
【発明の詳細な説明】
【０００１】
【技術分野】
本発明は、空気や水などの流体を流通させることにより磁気処理を施すことの出来る磁気処理装置に係り、特に流体物質としての空気や水等に対して磁気処理を効率的に施すことが可能であって、それにより、例えば、流通せしめられる流体としての水の酸化還元電位を効率的に低減させることも可能である、新規な構造の磁気処理装置に関するものである。
【０００２】
【背景技術】
従来から、空気の浄化処理装置（空気清浄器を含む）としては、活性炭を配合したフィルタに、ファンを使って空気を強制的に通過させることにより、活性炭に臭い分子等の不純物を吸着させる構造や、イオン放電等を利用して空気中に存在する不純物をイオン化した後、該不純物を帯電ドラム等で吸引補足する構造のもの等が、知られている。ところが、これらの何れの構造の空気清浄器においても、構造が複雑で高価である等という問題があった。
【０００３】
また、生体に好ましい水に改質等する水処理装置としては、公知の電気分解装置や濾過器等の他に、例えば、実登第３００８７２９号公報や実登第３００８３２４号公報、特開２０００−１４０８５４号公報、実開平６−２４７９６号公報、特開平７−１３２２８５号公報、特開平９−１４１２６９号公報等に示されるように、水を磁気処理することにより改質するようにしたものが知られている。これらの公報によれば、磁場内に水を通過させることにより、水中に含まれる水分子やその他の分子に対して、そのイオン化等の活性化や、酸化還元電位の低減作用に伴う還元力の向上が行われて、それが例えば飲用水としての改質，改善につながるものとされている。
【０００４】
しかしながら、これら公報に記載の水処理装置にあっては、流体通路を流通せしめられる水に対して、永久磁石による磁界が、必ずしも有効に及ぼされているものとは考えられず、例えば処理水の酸化還元電位をみても、その改善効果、即ち酸化還元電位がマイナス側となる効果が、まだ充分に発揮されているものとは言い難かった。
【０００５】
なお、水処理装置における磁気処理の効率を向上させるために、例えば、特開２０００−３３４４７８号公報には、電磁石を用いて磁場を攪乱させる手法が提案されているが、このような処理装置においては、構造の複雑化や大型化，高コスト化が避けられないことに加えて、電力消費によるランニングコストが必要となることから、必ずしも有効な方策でなかった。
【０００６】
【解決課題】
ここにおいて、本発明は、上述の如き事情を背景として為されたものであって、その解決課題とするところは、簡単な構造をもって空気や水等の流体に対して及ぼされる磁気処理の効率を向上させることの出来る、新規な構造の磁気処理装置を提供することにある。
【０００７】
また、本発明は、上述の本発明に係る磁気処理装置を用いた空気処理装置や水処理装置を提供することも、目的とする。
【０００８】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１２】
本発明の第一の態様は、（ａ）非磁性材で形成されて所定の流体が流通せしめられる流体通路と、（ｂ）この流体通路を挟んだ両側で対向するように配設されて、該流体通路に向かう面に磁極が形成された少なくとも一対の永久磁石と、（ｃ）それら永久磁石を変位可能に保持せしめる磁石保持手段とを、有する磁気処理装置を、特徴とする。
【００１３】
このような本態様に従う構造とされた磁気処理装置においては、流体通路を流動せしめられる流体や外部装置から流体通路への力学的な作用や、流体通路を流動せしめられる流体と永久磁石との磁力乃至は電磁的な作用などによって永久磁石が流体通路に対して微小変位せしめられることにより、流体通路に作用する磁界が僅かに変化せしめられるのであり、その結果、永久磁石で形成された磁界の作用が流体を構成する、或いは流体に含まれる分子等に対して及ぼされる、酸化還元電位の低下等といった磁気処理の効率が向上され得るのである。
【００１４】
また、本発明の第二の態様は、前記第一の態様に係る磁気処理装置にあって、前記永久磁石の磁極面が向く前記流体通路に、該流体通路を流通せしめられる流体に対して乱流を積極的に生ぜしめる流れ調節手段を備えたことを、特徴とする。このような本態様においては、乱流による作用効果が相乗的に発揮されることとなり、酸化還元電位の低下等といった磁気処理の効率がより一層向上され得る。
すなわち、このような本態様に従う構造とされた磁気処理装置においては、流体通路を流通せしめられる水や空気等の流体に対して、流れ調節手段により積極的な攪乱が生ぜしめられて乱流状態が発現されることとなる。その結果、永久磁石で形成された磁界の作用が、流体を構成する、或いは流体に含まれる分子等に対して全体として略均一に且つ効率的に作用せしめられることとなり、目的とする酸化還元電位の低下等といった磁気処理の効率が向上され得るのである。
なお、本態様において、流体通路を形成する部材には、アクリル樹脂や塩化ビニル樹脂、ポリプロピレン樹脂等からなる非磁性材の通気管路等が採用され得る。また、本態様における流体通路の流れ調節手段は、永久磁石の磁力が及ぼされる領域内で流体通路の断面形状を変化せしめた構成が好適に採用されることとなり、それによって、特別なアクチュエータ等のエネルギを必要とすることなく目的とする乱流状態が効率的に生ぜしめられ得る。具体的には、かかる流れ調節手段は、例えば、永久磁石の配設領域の近辺において流体通路を蛇行や湾曲、屈曲等させたり、該通路にブロック体やシート部材等の障害物を設置することにより構成される他、流体通路の断面積を急激に拡張させたり縮小させることによっても構成することが可能である。
【００１６】
また、本発明の第三の態様は、前記第二の態様に係る磁気処理装置において、前記流れ調節手段の少なくとも一つとして、前記流体通路に拡幅部及び／又は狭窄部を設けたことを、特徴とする。
【００１７】
また、本発明の第四の態様は、前記第二又は第三の態様に係る磁気処理装置において、前記流れ調節手段の少なくとも一つとして、前記流体通路の内面に凹部及び／又は突部を設けたことを、特徴とする。
【００１８】
これら本発明の第三の態様と第四の態様の何れに従う構造とされた磁気処理装置においても、流れ調節手段が簡単な構造で実現されると共に、流体における乱流状態を一層効率的に生ぜしめることが可能となる。しかも、流れ調節手段によって流体に及ぼされる乱流状態や流体抵抗を、容易に調節することが可能であるという利点もある。
また、本発明の第五の態様は、前記第一乃至第四の何れかの態様に係る磁気処理装置において、前記永久磁石を、前記流体通路を挟んで対向するように少なくとも一対配設すると共に、かかる対を為して互いに対向位置せしめられた永久磁石の対向面を、互いに異極としたことを、特徴とする。このような本態様においては、流体通路に対して、対向位置せしめられた永久磁石の間で一層大きな磁束密度が発現され得て、流体通路を流動せしめられる流体に対して一層大きな磁気作用が及ぼされ得る。また、本態様においては、対向位置せしめた永久磁石が磁力の作用で互いに吸引し合うことから、例えば対向位置して形成した穴に、かかる穴の内法寸法よりも僅かに小さい外幅寸法を有する一対の永久磁石を収容配置せしめるだけで、磁力の作用で流体通路を挟んで対向位置する所定位置への配設状態に保持せしめることが可能となり、永久磁石の組付構造の簡略化が図られ得る。
【００１９】
また、本発明の第六の態様は、前記第一乃至第五の何れかの態様に係る磁気処理装置において、前記流体通路を扁平形状とすると共に、その流体通路の内面において対向面間距離が最も小さい扁平方向で対向するように前記一対の永久磁石を配設したことを、特徴とする。このような本態様においては、流体通路を扁平形状としたことにより、対向位置せしめられる永久磁石を出来るだけ接近配置せしめて漏れ磁束を抑え、流体に対して磁力を一層効率的に作用せしめることが可能となる。しかも、流体通路を扁平形状としたことにより、磁石の磁極が流体通路に面する部分の面積を、流体通路断面積に対して一層大きく確保することが可能となるのであり、それにより、流体の単位容積当たりに対して一層大きな磁力を及ぼすことが出来るのである。なお、本態様において、扁平方向とは、流体通路における対向面間距離が最も小さい方向を言うものとする。なお、本態様において、好ましくは、少なくとも永久磁石の磁極面が配された部位における流体流路の扁平方向での内法寸法：Ａとそれに直交する方向での内法寸法：Ｂの比（Ａ／Ｂ）の最大値が、２以上となるように設定され、より好ましくは３以上とされる。
【００２０】
また、本発明の第七の態様は、前記第一乃至第六の何れかの態様に係る磁気処理装置において、（ｄ）表裏方向に貫通した貫通窓が形成されると共に、該貫通窓が外周面において開口する吸入口と排出口が形成された通路形成プレートと、（ｅ）該通路形成プレートの表裏両面に重ね合わせられて固定されることにより前記貫通窓を覆蓋せしめて、前記吸入口と前記排出口を通じて外部に連通された前記流体通路を形成する一方、該通路形成プレートに対して重ね合わせられる内側面と反対の外側面に開口して該外側面から該内側面に向かって所定深さで延びる磁石収容穴が形成された一対の磁石保持プレートと、（ｆ）該一対の磁石保持プレートのそれぞれにおける前記磁石収容穴に収容配置されることにより、前記流体通路を挟んだ両側で対向せしめられた一対の永久磁石と、（ｇ）前記一対の磁石保持プレートの各外側面に重ね合わせられて、前記各磁石収容穴の外側開口を覆蓋せしめる一対の外蓋プレートとを、含んで構成したことを、特徴とする。
また、本発明の第八の態様は、（ｈ）非磁性材で形成されて所定の流体が流通せしめられる流体通路と、（ｉ）この流体通路を挟んだ両側で対向するように配設されて、該流体通路に向かう面に磁極が形成された少なくとも一対の永久磁石と、（ｊ）前記永久磁石の磁極面が向く前記流体通路に、該流体通路を流通せしめられる流体に対して乱流を積極的に生ぜしめる流れ調節手段とを、（ｋ）有する磁気処理装置であって、（ｄ）表裏方向に貫通した貫通窓が形成されると共に、該貫通窓が外周面において開口する吸入口と排出口が形成された通路形成プレートと、（ｅ）該通路形成プレートの表裏両面に重ね合わせられて固定されることにより前記貫通窓を覆蓋せしめて、前記吸入口と前記排出口を通じて外部に連通された前記流体通路を形成する一方、該通路形成プレートに対して重ね合わせられる内側面と反対の外側面に開口して該外側面から該内側面に向かって所定深さで延びる磁石収容穴が形成された一対の磁石保持プレートと、（ｆ）該一対の磁石保持プレートのそれぞれにおける前記磁石収容穴に収容配置されることにより、前記流体通路を挟んだ両側で対向せしめられた一対の永久磁石と、（ｇ）前記一対の磁石保持プレートの各外側面に重ね合わせられて、前記各磁石収容穴の外側開口を覆蓋せしめる一対の外蓋プレートとを、含んで構成されている磁気処理装置を、特徴とする。
このような第七および第八の態様に従う構造とされた磁気処理装置においては、流体通路と併せて永久磁石の配設スペースも備えた一体的なハウジングを、少ない部品点数と非常に優れた製作性をもって実現することが可能となる。特に、流体通路を、通路形成プレートを板厚方向に抜いた構造の貫通窓で形成したことにより、かかる流体通路の形状を、例えば蛇行形状や拡縮形状をもって、或いは通路内面に突出する凹部や突部を備えた形状をもって、極めて容易に且つ大きな設計自由度をもって設計したり変更等することが可能となるのである。
【００２１】
また、本発明の第九の態様は、前記第一乃至第八の何れかの態様に係る磁気処理装置を用いて、空気を前記流体通路に流通させるようにした空気処理装置を、特徴とする。
【００２２】
さらに、本発明の第十の態様は、前記第九の態様に係る空気処理装置を用いて、該空気処理装置により磁気処理した空気を、飲用水や汚水等の液体中に吐出させるようにした液体処理装置を、特徴とする。
【００２３】
また、本発明の第十一の態様は、前記第一乃至第八の何れかに記載の磁気処理装置を用いて、飲用水や汚水等の液体を前記流体通路に流通させるようにした液体処理装置を、特徴とする。
【００２４】
このような本発明に従う構造とされた空気処理装置や液体処理装置においては、空気や水等に対する磁気処理作用が、従来構造のものに比して極めて効率的に且つ特別な電力等のランニングコストを伴うことなく向上され得るのであり、それによって、従来から磁気処理によって実現されると言われている酸化還元電位の低減効果等が、より一層有効に発揮され得ることとなるのである。
【００２５】
なお、本発明に従う構造とされた空気処理装置や液体水処理装置は、その用途に関して何等の制限を受けるものでないことは言うまでもない。例えば、本発明に係る空気処理装置を、室内空気を直接に流体通路に流通せしめて浄化装置に利用することなども可能である。また、本発明に係る液体処理装置に関しても、例えば、飲料水を流体通路に流通せしめて浄化する装置や、水道水の浄化装置、更には、生活用水や工業用水、或いはそれらの排水などを流体通路に流通せしめて浄化処理する装置等の他、水以外の各種液体に対して磁気処理する場合にも採用可能である。
【００２６】
【発明の実施形態】
以下、本発明を更に具体的に明らかにするために、本発明の実施形態について、図面を参照しつつ、説明する。
【００２７】
先ず、図１には、本発明の一実施形態としての磁気処理装置１０が、示されている。この磁気処理装置１０は、略矩形箱体形状を有するハウジングとしての筐体１２を備えており、この筐体１２の内部に流体通路１４が形成されている。
【００２８】
筐体１２は、アクリル樹脂やポリプロピレン樹脂等の非磁性材からなり、略矩形箱体形状とされていると共に、通路形成プレートとしての第一のプレート１６、磁石保持プレートとしての一対の第二のプレート１８、１８および外蓋プレートとしての一対の第三のプレート２０，２０を含んで構成されている。
【００２９】
第一のプレート１６は、略矩形平板形状を有しており、中央部分に貫通窓としての大形の貫通孔２２が貫設されている。この貫通孔２２は、目的とする流体通路の平面形状に相当する形状をもって打抜形態で形成されており、第一のプレート１６の長手方向に細長に延びる長孔形状を呈している。また、貫通孔２２の長手方向中央には、幅寸法が全長に亘って略一定に大きくされた拡幅部２４が設けられていると共に、長手方向両端には、拡幅部２４から第一のプレート１６の端縁部に向かって次第に幅寸法が小さくなる狭窄部２６，２６が設けられている。また、各狭窄部２６における幅方向一方の側には、それぞれ、貫通孔２２の内方に向かって開口する略半円断面状の凹溝２８，２８が板厚方向に貫通，形成されていると共に、各狭窄部２６の幅方向他方の側には、それぞれ、貫通孔２２の内方に向かって突出する大小一つずつの凸部３０，３２が設けられている。なお、本実施形態では、これら凸部３０，３２が第一のプレート１６と一体形成されているが、これに限定されるものでなく、凸部３０，３２がプレート１６と別体形成して、接着剤等でプレート１６に固着しても良い。
【００３０】
また、第二のプレート１８，１８は、厚肉の略矩形平板形状とされていると共に、中央部分に磁石収容穴としての円形凹所３４，３４が設けられている。かかる円形凹所３４は、第二のプレート１８における外側面である一方の幅広面３６に開口していると共に、内側面である他方の幅広面３８には達しない深さ寸法とされており、以て、第二のプレート１８の一方の幅広面３６に開口する凹陥状とされている。
【００３１】
さらに、第三のプレート２０，２０は、薄肉の略矩形平板形状を有しており、その幅広面が第二のプレート１８の幅広面３６，３８と略同じ大きさに設定されている。
【００３２】
而して、本実施形態では、第一のプレート１６の両幅広面、換言すれば貫通孔２２の両開口端面が、各第二のプレート１８の円形凹所３４の底部側に位置する幅広面３８に重ね合わされて接着剤やボルト等で固着されることにより、貫通孔２２が一対の第二のプレート１８，１８で略気密に覆蓋されて流体通路１４が形成されていると共に、各第二のプレート１８の円形凹所３４の開口部側に位置する幅広面３６が、それぞれ、第三のプレート２０の幅広面に重ね合わされて接着剤やボルト等で固着されることにより、各円形凹所３４が第三のプレート２０で略気密に覆蓋されており、以て、流体通路１４や円形凹所３４等を備えた略矩形箱体形状の筐体１２が形成されている。なお、このことからも明らかなように、本実施形態では、非磁性材からなる複数枚のプレートが、第一のプレート１６や一対の第二のプレート１８，１８、一対の第三のプレート２０，２０を含んで構成されており、これらのプレート１６，１８，２０が積層されることにより筐体１２の内部に流体通路１４が形成されていると共に、一対の第二のプレート１８，１８の円形凹所３４，３４が流体の流通方向に略直交する方向で流体通路１４を挟んで対向配置されている。
【００３３】
また、このような筐体１２の軸方向両端部には、それぞれ、めねじ部を備えた吸入口４０と排出口４２が形成されていると共に、これら吸入口４０と排出口４２が流体通路１４の両端に接続されている。これにより、流体通路１４が吸入口４０または排出口４２を通じて大気に連通されている。
【００３４】
また、第二のプレート１８の円形凹所３４には、永久磁石４４が収容されている。この永久磁石４４は、フェライトやアルニコ合金（商品名）等の公知の磁性材が用いられており、略円板形状を呈していると共に、軸方向の両端で相互に異なる磁極を備えている。更に、永久磁石４４には、非磁性材からなる略有底円筒形状の保護カバー４６が嵌着されており、一方の磁極（例えば、Ｎ極）が保護カバー４６の底部に位置せしめられていると共に、他方の磁極（例えば、Ｓ極）が保護カバー４６の開口部に位置せしめられて外部に露出されている。更にまた、本実施形態では、保護カバー４６の外径寸法が、第二のプレート１８における円形凹所３４の内径寸法よりも僅かに小さくされており、それによって、保護カバー４６を取り付けた永久磁石４４が円形凹所３４に変位可能に収容配置されている。なお、これらの説明からも明らかなように、永久磁石４４を変位可能に保持せしめる磁石保持手段が、円形凹所３４を備えた第二のプレート１８を含んで構成されている。
【００３５】
また、特に本実施形態では、一対の永久磁石４４，４４の筐体１２の配設下にあって、保護カバー４６から露出される永久磁石４４の磁極面が流体通路１４に面して配置されていると共に、これら一対の永久磁石４４，４４が該流体通路１４を挟んで異なる磁極面で対向配置されており、以て、両磁極が互いに引き合わされる作用に伴い両永久磁石４４，４４が流体通路１４に略密接した状態で第二のプレート１８（円形凹所３４）の底部に支持されている。
【００３６】
このような構造とされた磁気処理装置１０においては、空気や水等の流体を筐体１２の吸入口４０から流体通路１４に送り込み、かかる流体通路１４を通じて筐体１２の排出口４２から外部に排出させることにより、流体が流体通路１４（貫通孔２２）に設けられた狭窄部２６や拡幅部２４、凹溝２８や凸部３０，３２によって積極的に乱流状態とされる。そして、流体通路１４において乱流状態とされる領域を挟んだ両側には、一対の永久磁石３８，３８が配設されており、これら永久磁石３８，３８によって生ぜしめられた磁界が流体通路を流通せしめられる流体に対して及ぼされるようになっている。なお、上述の説明からも明らかなように、流体通路１４における永久磁石４４の配設領域に乱流を積極的に生ぜしめる流れ調節手段が、狭窄部２６や拡幅部２４、凹溝２８、凸部３０，３２等を含んで構成されている。
【００３７】
従って、上述の磁気処理装置１０においては、永久磁石４４によって生ぜしめられた磁場（磁界）内を流体の原子やイオンが移動せしめられることにより、磁力やそれに伴う電磁誘導等の作用が流体に及ぼされて、磁気処理が施されることとなるが、特に、大きな磁界が及ぼされる領域で流体が積極的に乱流状態とされていることから、かかる流体に対して、永久磁石による磁気の作用が、全体に亘って略均一に、且つ効率的に及ぼされ得るのである。
【００３８】
加えて、かかる磁気処理装置１０においては、永久磁石４４が筐体１２に対して固着されておらず、筐体１２に対して微小変位（好ましくは１０μｍ以上、より好ましくは１００μｍ以上、更に好ましくは１００μｍ〜数mm程度の変位）が可能に配設されていることから、外部乃至は流通流体から力学的に及ぼされる振動や力によって略振動状態で変位せしめられたり、或いは流体中に存在する分子等との間に及ぼされる磁力や電磁力の作用で略振動状態で変位せしめられ得るのである。そして、この永久磁石の微小変位に伴って、流体通路に及ぼされる磁場が変化せしめられる結果、流体通路を流動せしめられる流体に対して一層効果的に磁気作用が及ぼされ得るのである。
【００３９】
そして、このようにして有効な磁気作用が、流体通路を流動せしめられる流体に及ぼされる結果、従来から言われている各種の磁気作用に基づく生化学的或いは物理的な作用効果が一層有効に発揮され得ることとなるのであり、例えば酸化還元電位の低下も一層効果的に実現可能となるのである。
【００４０】
なお、酸化還元電位(oxidation-reduction potential) とは、溶液中に存在する一対の酸化体と還元体が化学的に不活性な電極面で酸化還元反応を行うような電極系において、電極反応が平衡状態にある時の電極電位（所謂、酸化還元電極の平衡電極電位）とされており、かかる電極反応における標準状態（一般に、圧力が１気圧および温度が２５℃で、電極反応に関与する全ての物質の活動度が１に等しい状態）の電極電位（標準電極電位等とも称される）の値が、正で大きいほど酸化体の酸化力が強くなる一方、負で大きいほど還元体の還元力が強いとされている。これにより、原子中の電子の授受により変色する公知の酸化還元指示薬（例えば、メチレンブルーやジフェニルアミン等）を用いて、電子の授受に伴うエネルギの変化を定量的に測定することで、本実施形態の磁気処理装置により磁気処理された液体（水や溶液等を含む）の還元力の強さを確認することが出来る。また、特に、このような酸化還元電位においては、標準水素電極を基準にしたときの標準電極電位の値（水素電極尺度による値）が、標準状態における金属のイオン化傾向や、酸化還元系の酸化力または還元力を比較するのに有効とされる（「世界大百科事典」日立デジタル平凡社参照）。なお、本実施形態における磁気処理装置により磁気処理された気体（空気や特定の物質を混合するガス等を含む）の還元力の強さの確認は、例えば、後述するように、気体を所定の溶液に一定時間吐出させた後に、溶液の酸化還元電位を測定することにより行うことが可能である。
【００４１】
さらに、本実施形態では、筐体１２が第一のプレート１６、第二のプレート１８および第三のプレート２０が積層されて形成されていることにより、流体通路１４の内部に凹溝２８や凸部３０，３２等を容易に形成することが出来ると共に、永久磁石４４を流体通路１４に近接位置して容易に配設させることが出来、それによって、優れた製作性や低コスト性が達成され得る。特に、本実施形態では、流体通路１４を挟んで互いに対向配置せしめた一対の永久磁石４４，４４を、それ自体の磁気吸引力を利用して相互に所定位置に配設保持せしめたことにより、永久磁石４４を、筐体１２に固定することなく微小変位可能な状態で、しかも抜け出しや大きな位置ずれを防止しつつ、流体通路１４に磁極が近接位置せしめられた状態を保ちながら有利に配設せしめることが出来るのである。
【００４２】
更にまた、本実施形態では、永久磁石４４，４４が、何れも、合成樹脂やゴム弾性体等からなる保護カバー４６で覆われた状態で、収容穴３４に収容配置されていることから、永久磁石４４が微小変位せしめられて収容穴３４を形成する第二のプレート１８に当接した場合でも、その打音や衝撃が有利に軽減され得るといった利点もある。なお、永久磁石４４，４４は、その微小変位が容易に許容され得る状態で配設されることが望ましく、かかる目的を達成するために、例えば保護カバー４６と収容穴３４の接触面を鏡面状の滑面とする他、かかる接触面に適当な潤滑剤を塗布等することが望ましい。
【００４３】
また、このような磁気処理装置１０は、例えば、図４に示される如き空気処理装置４８に採用することが可能である。
【００４４】
詳細には、空気処理装置４８は、吸入側管路５０と吐出側管路５２からなる通気管路５４を備えている。これら吸入側管路５０および吐出側管路５２は、管体形状を呈しており、吸入側管路５０の一端が公知のブロワ（送風機を含む）５６に接続されていると共に、吸入側管路５０の他端がチャック５８を介して磁気処理装置１０の吸入口４０に接続されている一方、吐出側管路５２の一端が外部に開口していると共に、吐出側管路５２の他端がチャック５８を介して磁気処理装置１０の排出口４２に接続されている。このチャック５８は、略段付円筒形状を有しており、小径部分６０の外周面におねじ部が形成されて、該小径部分６０が吸入口４０や排出口４２に螺着されていると共に、大径部分６２の内径寸法が吸入側管路５０や吐出側管路５２の外径寸法と略同じに設定されて、該大径部分６２が吸入側管路５０の先端部分や吐出側管路５２の先端部分に嵌着されている。これにより、ブロワ５６から送風される圧縮空気が、吸入側管路５０から流体通路１４を通じて磁気処理されて、吐出側管路５２から外部に吐出されるようになっている。
【００４５】
このような構造とされた空気処理装置４８においては、ブロワ５６の羽根車が空気を送り出す脈動的な作用により、或いは積極的にブロワ５６への供給電流を周波数制御すること等により、該ブロワ５６によって流体通路１４に送られる空気に対して振動を加えることも可能であり、それによって、空気の乱流に基づく酸化還元電位の低下がより有利に実現され得る。
【００４６】
また、上述の如き磁気処理装置１０を用いた別の適用例としての水処理装置６４が、図５に示されている。
【００４７】
詳細には、かかる水処理装置６４には、略有底筒体形状の処理槽６６が設けられている。また、処理槽６６の開口部付近の壁部には、注水口６８と排水口７０が設けられており、これら注水口６８と排水口７０が軸直角方向（図５中、左右）で略対向位置せしめられていると共に、注水口６８の配設位置が排水口７０の配設位置よりも僅かに上方に設定されている。また、このような処理槽６６においては、処理水７２が注水口６８から入れられて、内部に一定量貯められようになっていると共に、排水口７０から外部に排出されるようになっており、該処理水７２の水位（水面の高さ）が注水口６８の開口部付近に設定されている。なお、処理水７２は、特に限定されるものでなく、例えば、水道水や地下水、河川や湖沼等の水、更には、生活用水や工業用水、農業用水等から適宜に選択され得る。
【００４８】
また、処理槽６６には、略屈曲管体状の循環流路７４が設けられており、循環流路７４の一方の端部が、処理槽６６における排水口７０側の底部付近に開口していると共に、循環流路７４の他方の端部が、処理槽６６における注水口６８側の開口部付近に開口している。更に、循環流路７４には、水流ポンプ７６が設けられており、処理水７２が処理槽６６の排水口７０側の底部付近に位置せしめられた開口部から該流路７４内を通じて処理槽６６の注水口６８側の開口部付近に送られるようになっている。
【００４９】
さらに、水処理装置６４には、散気装置７８が設けられている。かかる散気装置７８は、前述の磁気処理装置１０を組み込んだ空気処理装置（４８）と略同様な構造とされており、吐出側管路（５２）以外の磁気処理装置１０や吸入側管路５０、ブロワ５６等が前記空気処理装置（４８）と同一であることから、図５に図４と同一の符号を付することによりその詳細な説明を省略するが、本実施形態では、磁気処理装置１０の排出口４２に、外部空間への開口部が一対設けられた吐出側管路８０が接続されており、それら両開口部の先端に小形の通気孔等を多数備えた曝気部８２が取り付けられていると共に、該曝気部８２を備えた吐出側管路８０の両開口部が処理槽６６の底部において、相互に離隔配置されている。
【００５０】
このような構造とされた水処理装置６４においては、注水口６８から注水された処理水７２が排水口７０から連続的に排出されるようになっていると共に、循環流路７４の水流ポンプ７６が連続的または断続的に駆動せしめられて、処理水７２が循環されるようになっており、更に、散気装置７８において磁気処理装置１０で磁気処理された圧縮空気が曝気部８２を通じて、処理槽６６の底部より気泡として処理水７２に吐出される（所謂、散気式エアレーション等と称される）ようになっている。
【００５１】
以上、本発明の実施形態について詳述してきたが、これはあくまでも例示であって、本発明は、かかる実施形態における具体的な記載によって、何等、限定的に解釈されるものでない。
【００５２】
例えば、前記実施形態では、磁気処理装置１０の流体通路１４に空気を流通させることにより空気が浄化されたり、或いは流体通路１４で磁気処理された圧縮空気を処理水７２に曝気（吐出）することにより処理水７２が浄化等されるようになっていたが、これに限定されるものでなく、例えば、流体通路１４に直接に水等の処理水７２を流通させて処理水７２に磁気処理を施したり、或いは磁気処理装置１０に移動手段を設けて、空気や水等の流体中を移動させることにより流体に磁気処理を施すようにしても良い。
【００５３】
また、前記実施形態における拡幅部２４や狭窄部２６は必ずしも必要とされるものでなく、例えば、図６〜７に示されているように、拡幅部２４や狭窄部２６を備えていない全長に亘って幅寸法が略一定の貫通孔２２を採用することも可能である。なお、凹溝や凸部の形状や数、配設位置等は、何等限定されるものでない。
【００５４】
更にまた、拡幅部や狭窄部などの流れ調節手段は、流体通路１４に面して配設位置せしめられた永久磁石４４の磁極面に対して、流体の流れ方向で該磁極面の長さ寸法の上下流側にそれぞれ２倍以下の領域内に設けることが望ましく、より好適には、磁極面よりも上流側に形成される。また、好ましくは、永久磁石４４において流体流路１４に面する磁極の幅寸法（流体の流れ方向に直交する方向の寸法）が、流体流路１４の幅寸法の０．５倍以上、より好ましくは０．７５倍以上とされる。
【００５５】
さらに、前記実施形態における凹溝２８や凸部３０，３２は必須のものではなく、例えば、図８に示されているように、貫通孔２２に設けられた拡幅部２４や狭窄部２６だけで流体の流れを調節させることも可能である。なお、図６〜８において、前記実施形態と実質的に同一の構造とされた部材および部位については、前記実施形態と同一の符号を付することにより、それらの詳細な説明を省略する。
【００５６】
更にまた、前記実施形態では、貫通孔２２に設けられた凹溝２８が、第一のプレート１６を板厚方向に貫通して形成されていたが、貫通せずに所定の深さ寸法で広がる凹陥状をもって形成しても良い（図７参照）。
【００５７】
また、前記実施形態では、第一のプレート１６（貫通孔２２）に凹溝２８や凸部３０，３２が設けられていたが、第二のプレート１８の底部等に凹溝２８や凸部３０，３２を設けて流体通路１４を拡縮させることも可能である。
【００５８】
さらに、前記実施形態において、永久磁石４４が配設される凹所（円形凹所３４）は、例示の如き形状（円形）のものに限定されるものでなく、例えば、多角形断面の凹所等を採用しても良い。
【００５９】
更にまた、流体通路１４の構造は、前記実施形態に限定されるものでなく、例えば、異なる断面をもって所定長さで延びる筒体を、流体通路１４として採用することも可能である。
【００６０】
また、要求される磁気特性や設置環境等に応じて、流体通路１４のまわりに電磁シールドを設けて外界の電磁場の悪影響を防止するようにしても良い。
【００６１】
さらに、流体通路１４を形成する筐体１２に振動スピーカ等の加振手段を設けて、流体通路１４を流通せしめられる流体や、永久磁石４４を支持する筐体１２を加振して圧力変動による流体分子運動や永久磁石４４の変位をより積極的に発現させるようにしても良い。
【００６２】
更にまた、流体通路１４や吸入口４０、排出口４２等にシリカゲルや炭材（木炭や活性炭）等の乾燥剤やフィルタ（濾過器やこし器を含む）を配設しても良く、それにより、流体通路１４を流通せしめられる空気等の湿度を調節することも可能である。また、前記実施形態において、筐体１２に、還元体等の生成や遠赤外線の放出，微弱電流の発生等に効果があるとされる電気石（トルマリン）を配設することも可能である。
【００６３】
さらに、前記実施形態では、第一のプレート１６や第二のプレート１８、第三のプレート２０が、それぞれ、接着剤で固着されていたが、例えば、これらのプレート１６，１８，２０をボルトやピン等で取り外し可能に固定することも可能であり、それによって、要求される還元性や他装置への組み付け条件等に応じて、これらプレートのうちの何れかを別に形成された形状の異なる他のプレートと取り替えることも可能となる。
【００６４】
また、流体通路の周囲に配設される永久磁石４４の材質や、その配設数，形状，大きさ、配設位置等は、何等限定されるものでない。更にまた、永久磁石４４を、流体通路を挟んで同一磁極（Ｎ極とＮ極、或いはＳ極とＳ極）を対向位置せしめるようにしても良く、それによって、広い領域に磁界を及ぼすことが可能となる。
【００６５】
また、流体通路１４の形状や構造，大きさ等も何等限定されるものでなく、例えば、流量が多い場合には、多数の分流構造を採用し、各分流路にそれぞれ永久磁石４４を配設した前記実施形態の構造を採用することも可能であり、それによって、大量の流体に対しても、一層均一な磁気作用を及ぼすことが出来る。
【００６６】
加えて、前記実施形態では、空気や生活用水等の処理装置に対して、本発明を適用したものの一具体例を示したが、本発明は、森林浴と言われる人体への生理的な作用効果を発揮する健康装置や、布団等の寝具に配設される乾燥機乃至は清浄機等の各種分野において、広く適用可能であることは勿論である。
【００６７】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもない。
【００６８】
【実施例】
次に、本発明の効果を具体的に測定した実施データについて、図９等を参照しつつ、明らかにする。
【００６９】
〔実施例１〕
図８にも示されているように、一対の永久磁石４４，４４を、流体通路１４を備えた筐体１２に該流体通路１４を挟んで位置する両側で異極が対向位置するように変位可能に配設すると共に、流体通路１４を構成する貫通孔２２に凹溝２８や凸部３０，３２を設けない一方、拡幅部２４や狭窄部２６を設けた磁気処理装置を準備する。また、かかる磁気処理装置の吸入口４０に図示しないエアポンプを接続すると共に、磁気処理装置の排出口４２にシリコンチューブを接続して、該シリコンチューブの先端を１．５ｌの水道水を入れたビーカに開口させる。そして、エアポンプを稼動させて、エアポンプから送られる圧縮空気を磁気処理装置の流体通路１４を通じて磁気処理させつつ、シリコンチューブを介して水道水に吐出させ、所定の時間ごとの水道水の酸化還元電位を測定した。なお、酸化還元電位とは、イオン化傾向と同様なものであって、この電位がプラスだと酸化力をもった物質を含み、マイナスだと還元力をもった物質を含む。その結果を実施例１として図９に示す。また、実施例１および後述する実施例２〜４や比較例１において、水道水の酸化還元電位の測定には、水道水中の酸化体と還元体の活量（換言すれば、活動度、即ち熱力学的濃度の一種）の平衡電位を測定する市販の酸化還元電位計を用いていると共に、水道水や筐体１２の材質、永久磁石４４の形状や大きさ等は全て同一にした。
【００７０】
〔比較例１〕
上述の筐体１２に永久磁石４４を配設しない比較例の装置（図示せず）を準備して、該装置に、実施例１と同様に、エアポンプとシリコンチューブを接続して、エアポンプから送られる圧縮空気を、永久磁石による磁界の作用が及ぼされない流体通路１４を通じて、シリコンチューブを介して水道水に吐出させ、所定の時間ごとの水道水の酸化還元電位を測定した。その結果を、比較例１として図９に併せ示す。
【００７１】
〔実施例２〕
上述の流体通路１４を構成する貫通孔２２に拡幅部２４や狭窄部２６、凹溝２８、凸部３０，３２を設けずに、全長に亘って一定断面積の流体通路１４を備えた筐体１２を製造すると共に（図示せず）、一対の永久磁石４４，４４を該流体通路１４を挟んで位置する両側で異極が対向位置するように変位可能に配設した磁気処理装置を準備して、該装置を用いて、実施例１と同様な実験を行ってデータを得た。その結果、実施例２における各時間毎の水道水の酸化還元電位が、実施例１のそれらよりも僅かに上回ることが認められるものの、比較例１における各時間毎の水道水の酸化還元電位に比して、低減されることが認められた。
【００７２】
〔実施例３〕
実施例１と同様な筐体１２に一対の永久磁石４４，４４を固定的に配設した磁気処理装置（図示せず）を準備して、該装置を用いて、実施例１と同様な実験を行ってデータを得た。その結果、実施例３における各時間毎の水道水の酸化還元電位が、図９に示される比較例１の各時間毎の水道水の酸化還元電位よりも、僅かに下回ることが認められた。
【００７３】
〔実施例４〕
一対の永久磁石４４，４４を、流体通路１４を備えた筐体１２に該流体通路１４を挟んで位置する両側で異極が対向位置するように変位可能に配設すると共に、流体通路１４を構成する貫通孔２２に凹溝２８や凸部３０，３２を設けると共に、拡幅部２４や狭窄部２６を設けた図１に示される如き磁気処理装置を準備する。そして、かかる磁気処理装置を用いて、実施例１と同様な実験を行ってデータを得た。その結果を、実施例４として図９に併せ示す。
【００７４】
図９からも、本発明に従う構造とされた磁気処理装置は、永久磁石４４を配設しない装置に比して、酸化還元電位が効果的に低減されることが明らかである。
【００７５】
さらに、上述の結果からも、本発明に従う構造とされた磁気処理装置においては、永久磁石４４を変位可能に配設することにより、酸化還元電位がより効果的に低減されることが認められる。
【００７６】
また、これらの結果からも、本発明に従う構造とされた磁気処理装置においては、流体通路１４に拡幅部２４や狭窄部２６、凹溝２８、凸部３０，３２を設けて流体を積極的に乱流させつつ磁気処理させることにより、酸化還元電位がより一層効果的に低減されることが認められる。
【００７７】
【発明の効果】
上述の説明から明らかなように、本発明に従う構造とされた磁気処理装置においては、流体が流体通路で積極的に乱流とされたところに磁界が及ぼされるようになっていることから、或いは永久磁石が微小変位せしめられることに伴い、流体に及ぼされる磁界が変化せしめられるようになっていることから、流体通路を流通せしめられる流体に対して、一層効果的な磁気処理を施すことが可能となるのである。
【図面の簡単な説明】
【図１】本発明の一実施形態としての磁気処理装置を示す図であって、図２のＩ−Ｉ断面に相当する図である。
【図２】図１におけるII−II断面図である。
【図３】図１における磁気処理装置を示す側面説明図である。
【図４】図１における磁気処理装置を含んで構成される空気処理装置を示す横断説明図である。
【図５】図１における磁気処理装置を含んで構成される水処理装置をモデル的に示す縦断説明図である。
【図６】本発明の別の具体例としての磁気処理装置を示す横断説明図であって、図１に対応する図である。
【図７】本発明の更に別の具体例としての磁気処理装置を示す横断説明図であって、図１に対応する図である。
【図８】本発明の更にまた別の具体例としての磁気処理装置を示す横断説明図であって、図１に対応する図である。
【図９】本発明に従う構造とされた磁気処理装置を用いた酸化還元電位の測定実験結果を実施例として、比較例と併せて示すグラフである。
【符号の説明】
１０  磁気処理装置
１４  流体通路
２４  拡幅部
２６  狭窄部
２８  凹溝
３０  凸部
３２  凸部
４４  永久磁石
【図１】
0003716348.tif 000002
【図２】
0003716348.tif 000003
【図３】
0003716348.tif 000004
【図４】
0003716348.tif 000005
【図５】
0003716348.tif 000006
【図６】
0003716348.tif 000007
【図７】
0003716348.tif 000008
【図８】
0003716348.tif 000009
【図９】
0003716348.tif 000010